(57)【要約】【課題】光ケーブル余長整理作業の効率化を図ることができる光ケーブル余長処理具および光ケーブル余長処理方法を提供する。【解決手段】光ケーブル１を敷設する際に支持物において光ケーブル１の余長部２を整理するための光ケーブル余長処理具１０であって、支持金物１１と、支持金物１１に取り付けられたかつＵ字状に曲げられた金属棒から構成されたＵ字型余長処理金物２０と、Ｕ字型余長処理金物２０に支持金物１１から等距離に取り付けられた第１および第２の余長受け部３０1，３０2とを具備する。第１および第２の余長受け部３０1，３０2は、Ｕ字型余長処理金物２０を貫通させるための貫通孔が形成された環状部および末端が環状部の側面に固定されるとともに先端が上方を向くように曲げられた棒状部から構成された第１および第２の本体３１1，３１2をそれぞれ備える。【選択図】図１
2008026376.tif 000002
【特許請求の範囲】
【請求項１】
光ケーブル（１）を敷設する際に支持物（３）において該光ケーブルの余長部（２）を整理するための光ケーブル余長処理具（１０）であって、
支持金物（１１）と、
該支持金物に取り付けられた余長処理金物（２０）と、
該余長処理金物に前記支持金物から等距離に取り付けられた第１および第２の余長受け部（３０1，３０2）と、
を具備し、
前記第１および第２の余長受け部が、前記余長処理金物を貫通させるための貫通孔が形成された環状部および末端が該環状部の側面に固定されるとともに先端が上方を向くように曲げられた棒状部から構成された第１および第２の本体（３１1，３１2）をそれぞれ備える、
ことを特徴とする、光ケーブル余長処理具。
【請求項２】
前記余長処理金物が、Ｕ字状に曲げられた金属棒から構成されたＵ字型余長処理金物（２０）であり、
該Ｕ字型余長処理金物の両端部と底部との間に第１および第２の高さ調整用ネジ溝（２１1，２１2）がそれぞれ形成されており、
前記第１および第２の余長受け部が、前記Ｕ字型余長処理金物の前記第１および第２の高さ調整用ネジ溝が形成された部分に移動可能に取り付けられている、
ことを特徴とする、請求項１記載の光ケーブル余長処理具。
【請求項３】
前記第１および第２の余長受け部が、該第１および第２の余長受け部の棒状部が互いに反対方向を向くように、前記余長処理金物に取り付けられていることを特徴とする、請求項１または２記載の光ケーブル余長処理具。
【請求項４】
末端部分が前記支持物に取り付けられた腕金（１２）をさらに具備し、
前記支持金物が、前記腕金と互いに直交するように該腕金の先端部分に固定されていることを特徴とする、請求項１乃至３いずれかに記載の光ケーブル余長処理具。
【請求項５】
前記支持金物の長さ方向が前記光ケーブルの敷設方向に沿うように、前記腕金の末端部分が前記支持物に固定されていることを特徴とする、請求項１乃至４いずれかに記載の光ケーブル余長処理具。
【請求項６】
光ケーブル（１）を敷設する際に支持物（３）において該光ケーブルの余長部（２）を整理するための光ケーブル余長処理方法であって、
支持金物（１１）と、該支持金物に取り付けられた余長処理金物（２０）と、該余長処理金物に前記支持金物から等距離に取り付けられた第１および第２の余長受け部（３０1，３０2）とを具備し、かつ、前記第１および第２の余長受け部が、前記余長処理金物を貫通させるための貫通孔が形成された環状部および末端が該環状部の側面に固定されるとともに先端が上方を向くように曲げられた棒状部から構成された第１および第２の本体（３１1，３１2）をそれぞれ備える光ケーブル余長処理具（１０）を用い、
前記支持金物が前記光ケーブルの敷設方向に沿うように、前記光ケーブル余長処理具を前記支持物に取り付け、
前記第１および第２の余長受け部の棒状部に前記光ケーブルの余長部を引っ掛けながら該光ケーブルの余長部を巻いていく、
ことを特徴とする、光ケーブル余長処理方法。
【請求項７】
前記光ケーブルの余長部を巻いていく際には、前記第１および第２の余長受け部の棒状部を前記光ケーブルの敷設方向と直角でかつ同じ方向を向くようにし、
前記光ケーブルの余長部を巻き終えると、該巻いた光ケーブルの余長部を前記第１の余長受け部の棒状部に掛けたまま前記第２の余長受け部の棒状部から取り外したのちに、該第２の余長受け部の棒状部を１８０度回して、該第１および第２の余長受け部の棒状部が互いに反対方向を向くようにし、
前記取り外した光ケーブルの余長部を前記第２の余長受け部の棒状部に掛ける、
ことを特徴とする、請求項６記載の光ケーブル余長処理方法。
【請求項８】
前記余長処理金物が、Ｕ字状に曲げられた金属棒から構成されたＵ字型余長処理金物（２０）であり、
該Ｕ字型余長処理金物の両端部と底部との間に第１および第２の高さ調整用ネジ溝（２１1，２１2）がそれぞれ形成されており、
前記第１および第２の余長受け部が、前記Ｕ字型余長処理金物の前記第１および第２の高さ調整用ネジ溝が形成された部分に移動可能に取り付けられている、
ことを特徴とする、請求項６または７記載の光ケーブル余長処理方法。
【請求項９】
前記光ケーブルの余長部を前記第１および第２の余長受け部の棒状部に掛けるとともに該光ケーブルの余長部の下側の中央部を前記Ｕ字型余長処理金物の底部に置いて、該光ケーブルの余長部を該第１および第２の余長受け部と該Ｕ字型余長処理金物の底部とで３点支持することを特徴とする、請求項８記載の光ケーブル余長処理方法。
【発明の詳細な説明】
【技術分野】
【０００１】
本発明は、光ケーブル余長処理具および光ケーブル余長処理方法に関し、特に、光ケーブルを敷設する際に電柱などの支持物において光ケーブルの余長部を整理するのに好適な光ケーブル余長処理具および光ケーブル余長処理方法に関する。
【背景技術】
【０００２】
光ケーブルを敷設する際には、将来の電柱移設などに対応するために、一定の距離ごとに約１０ｍ程度の余長を設けるようにしている。このような光ケーブルの余長部を整理するために、下記の非特許文献１に記載されているような各種の余長収容金物が使用されているが、余長ケーブルを環状に束ねて荷重を分散させることができる３点支持のＪ型余長収容金物が主に使用されている。
【０００３】
なお、下記の特許文献１には、光ファイバ心線の余長処理を容易に行うことができるようにするために、光ケーブル接続部収納装置を電柱の内部に収めた収納構造が開示されている。この心線接続部収納装置では、余長収容部は、個々に前後に移動可能に横方向に並べられて仕切板に支持された心線接続部収納箱および光ファイバ心線余長収容空間を具え、光ファイバ心線は心線余長収容空間で相互に接続されて心線接続部収納箱に収容される。心線接続部収納箱は、光ファイバ心線を収容する複数の溝、溝の中心部に設けられた光ファイバ心線接続部を収容する空所、心線押さえ部材および心線接続部押さえ部材を具備する。
【非特許文献１】電気協同研究、第４８巻、第５号、１６４頁
【特許文献１】特開平９−１２７３８７号公報
【発明の開示】
【発明が解決しようとする課題】
【０００４】
しかしながら、Ｊ型余長収容金物を使用して光ケーブルの余長部を整理する際には、作業者は、光ケーブルの余長部をＪ型余長収容金物の径に合わせて輪状に巻いたのちにＪ型余長収容金物に固定するため、以下に示すような問題があった。
（１）輪状に巻いた光ケーブルの余長部の径がＪ型余長収容金物の径に合わずに光ケーブルの余長部を巻き直すことがあった。
（２）重量のある光ケーブルの余長部を作業者は手で巻いていくため、労力と時間とがかかっていた。
（３）電柱移設などで光ケーブルの余長部を繰り出した際に、移設後の電柱で光ケーブルの余長の長さが変わった場合には、光ケーブルの余長部を整理し直す作業が困難であった。
【０００５】
本発明の目的は、光ケーブル余長整理作業の効率化を図ることができる光ケーブル余長処理具および光ケーブル余長処理方法を提供することにある。
【課題を解決するための手段】
【０００６】
本発明の光ケーブル余長処理具は、光ケーブル（１）を敷設する際に支持物（３）において該光ケーブルの余長部を整理するための光ケーブル余長処理具（１０）であって、支持金物（１１）と、該支持金物に取り付けられた余長処理金物（２０）と、該余長処理金物に前記支持金物から等距離に取り付けられた第１および第２の余長受け部（３０1，３０2）とを具備し、前記第１および第２の余長受け部が、前記余長処理金物を貫通させるための貫通孔が形成された環状部および末端が該環状部の側面に固定されるとともに先端が上方を向くように曲げられた棒状部から構成された第１および第２の本体（３１1，３１2）をそれぞれ備えることを特徴とする。
ここで、前記余長処理金物が、Ｕ字状に曲げられた金属棒から構成されたＵ字型余長処理金物（２０）であり、該Ｕ字型余長処理金物の両端部と底部との間に第１および第２の高さ調整用ネジ溝（２１1，２１2）がそれぞれ形成されており、前記第１および第２の余長受け部が、前記Ｕ字型余長処理金物の前記第１および第２の高さ調整用ネジ溝が形成された部分に移動可能に取り付けられていてもよい。
前記第１および第２の余長受け部が、該第１および第２の余長受け部の棒状部が互いに反対方向を向くように、前記余長処理金物に取り付けられていてもよい。
末端部分が前記支持物に取り付けられた腕金（１２）をさらに具備し、前記支持金物が、前記腕金と互いに直交するように該腕金の先端部分に固定されていてもよい。
前記支持金物の長さ方向が前記光ケーブルの敷設方向に沿うように、前記腕金の末端部分が前記支持物に固定されていてもよい。
【０００７】
本発明の光ケーブル余長処理方法は、光ケーブル（１）を敷設する際に支持物（３）において該光ケーブルの余長部（２）を整理するための光ケーブル余長処理方法であって、支持金物（１１）と、該支持金物に取り付けられた余長処理金物（２０）と、該余長処理金物に前記支持金物から等距離に取り付けられた第１および第２の余長受け部（３０1，３０2）とを具備し、かつ、前記第１および第２の余長受け部が、前記余長処理金物を貫通させるための貫通孔が形成された環状部および末端が該環状部の側面に固定されるとともに先端が上方を向くように曲げられた棒状部から構成された第１および第２の本体（３１1，３１2）をそれぞれ備える光ケーブル余長処理具（１０）を用い、前記支持金物が前記光ケーブルの敷設方向に沿うように、前記光ケーブル余長処理具を前記支持物に取り付け、前記第１および第２の余長受け部の棒状部に前記光ケーブルの余長部を引っ掛けながら該光ケーブルの余長部を巻いていくことを特徴とする。
ここで、前記光ケーブルの余長部を巻いていく際には、前記第１および第２の余長受け部の棒状部を前記光ケーブルの敷設方向と直角でかつ互いに同じ方向を向くようにし、前記光ケーブルの余長部を巻き終えると、該巻いた光ケーブルの余長部を前記第１の余長受け部の棒状部に掛けたまま前記第２の余長受け部の棒状部から取り外したのちに、該第２の余長受け部の棒状部を１８０度回して、該第１および第２の余長受け部の棒状部が互いに反対方向を向くようにし、前記取り外した光ケーブルの余長部を前記第２の余長受け部の棒状部に掛けてもよい。
前記余長処理金物が、Ｕ字状に曲げられた金属棒から構成されたＵ字型余長処理金物（２０）であり、該Ｕ字型余長処理金物の両端部と底部との間に第１および第２の高さ調整用ネジ溝（２１1，２１2）がそれぞれ形成されており、前記第１および第２の余長受け部が、前記Ｕ字型余長処理金物の前記第１および第２の高さ調整用ネジ溝が形成された部分に移動可能に取り付けられていてもよい。
前記光ケーブルの余長部を前記第１および第２の余長受け部の棒状部に掛けるとともに該光ケーブルの余長部の下側の中央部を前記Ｕ字型余長処理金物の底部に置いて、該光ケーブルの余長部を該第１および第２の余長受け部と該Ｕ字型余長処理金物の底部とで３点支持してもよい。
【発明の効果】
【０００８】
本発明の光ケーブル余長処理具および光ケーブル余長処理方法は、以下に示す効果を奏する。
（１）第１および第２の余長受け部の棒状部に光ケーブルの余長部を引っ掛けながら光ケーブルの余長部を巻けるので、光ケーブルの余長部を巻く作業を効率的に行うことができるとともに、光ケーブルの余長部の径の調整を容易に行うことができる。
（２）第１および第２の余長受け部は余長処理金物に移動可能に取り付けられているので、電柱移設などによる光ケーブルの余長繰出しなどで光ケーブルの余長部の長さが変わっても、第１および第２の余長受け部の位置を変えることにより容易に対応することができる。
（３）光ケーブルの余長処理の作業時間を短縮することができる。
【発明を実施するための最良の形態】
【０００９】
上記の目的を、余長処理金物を貫通させるための貫通孔が形成された環状部および末端が環状部の側面に固定されるとともに先端が上方を向くように曲げられた棒状部から構成された第１および第２の本体をそれぞれ備える第１および第２の余長受け部を、余長処理金物を支持するための支持金物から等距離に余長処理金物に取り付けることにより実現した。
【実施例１】
【００１０】
以下、本発明の光ケーブル余長処理具および光ケーブル余長処理方法の実施例について、図面を参照して説明する。
本発明の一実施例による光ケーブル余長処理具１０は、図１（ａ），（ｂ）に示すように、支持金物１１と、腕金１２と、サポート金物１３と、第１および第２のボルト１５1，１５2と、第１および第２のナット１６1，１６2と、第１乃至第４の取付ナット１７1〜１７4と、Ｕ字型余長処理金物２０と、第１および第２の余長受け部３０1，３０2とを具備する。
【００１１】
ここで、支持金物１１は、Ｕ字型余長処理金物２０を支持するためのものであり、Ｌ字状の横断面形状を有する。
２本の電柱３（支持物）の間に敷設された光ケーブル１に沿ってかつ電柱３から一定の距離を置いてＵ字型余長処理金物２０を取り付けるために、腕金１２の末端部分は、図３に示すように、自在バンド４を用いて電柱３に取り付けられており、また、腕金１２の先端部分に、支持金物１１が腕金１２と互いに直交するように固定されている。なお、支持金物１１は、支持金物１１の末端部分の底面とサポート金物１３との間に腕金１２を通し、第１および第２のボルト１５1，１５2と第１および第２のナット１６1，１６2とによって腕金１２を締め付けることにより、腕金１２の先端部分に固定されている。
【００１２】
Ｕ字型余長処理金物２０は、Ｕ字状に曲げられた金属棒から構成されており、金属棒の底部には水抜き穴２１が形成されている。
また、Ｕ字型余長処理金物２０の両端部にはネジ溝が刻まれており、第１および第２の取付ナット１７1，１７2によってＵ字型余長処理金物２０の一端部を支持金物１１の底面に固定するとともに、第３および第４の取付ナット１７3，１７4によってＵ字型余長処理金物２０の他端部を支持金物１１の底面に固定することによって、Ｕ字型余長処理金物２０は支持金物１１に取り付けられている。
【００１３】
さらに、Ｕ字型余長処理金物２０の両端部と底部との間には第１および第２の高さ調整用ネジ溝２１1，２１2がそれぞれ形成されており、第１および第２の高さ調整用ネジ溝２１1，２１2が形成された部分に第１および第２の余長受け部３０1，３０2がそれぞれ取り付けられている。
【００１４】
すなわち、第１の余長受け部３０1は、図２に示すように、第１の本体３１1と、第１および第２の支持用ナット３２11，３２12とから構成されている。ここで、第１の本体３１1は、Ｕ字型余長処理金物２０を貫通させるための貫通孔が形成された環状部と、末端が環状部の側面に固定されるとともに先端が上方を向くように曲げられた棒状部とから構成されている。第１の余長受け部３０1は、第１の本体３１1の環状部を第１および第２の支持用ナット３２11，３２12で上下から締め付けることにより、Ｕ字型余長処理金物２０の第１の高さ調整用ネジ溝２１1が形成された部分に取り付けられている。
第２の余長受け部３０2についても、同様である。
【００１５】
第１および第２の余長受け部３０1，３０2は、図３（ａ），（ｂ）に示すように、棒状部が２本の電柱３間に敷設された光ケーブル１の敷設方向と直角でかつ互いに反対方向を向くように、Ｕ字型余長処理金物２０に取り付けられている。
これにより、輪状に巻かれた光ケーブル１の余長部２の上方部分を第１および第２の余長受け部３０1，３０2の棒状部に掛けるとともに光ケーブル１の余長部２の下側の中央部をＵ字型余長処理金物２０の底部に置くと、光ケーブル１の余長部２を第１および第２の余長受け部３０1，３０2とＵ字型余長処理金物２０の底部とで３点支持することができる。
【００１６】
次に、本実施例による光ケーブル余長処理具１０を用いて光ケーブル１の余長処理を行う方法（本発明の一実施例による光ケーブル余長処理方法）について、図３および図４を参照して説明する。
作業者は、図３（ａ）に示すように、光ケーブル余長処理具１０の支持金物１１が２本の電柱３間に敷設された光ケーブル１の敷設方向に沿うように、自在バンド４を用いて光ケーブル余長処理具１０を電柱３に取り付ける。
【００１７】
その後、作業者は、光ケーブル１の余長部２の長さに合わせて第１および第２の余長受け部３０1，３０2の高さを調整したのち、第１および第２の本体３１1，３１2の環状部を第１乃至第４の支持用ナット３２11，３２12，３２21，３２22で上下から軽く締め付ける。
このとき、作業者は、図４に示すように、第１および第２の余長受け部３０1，３０2の棒状部が光ケーブル１の敷設方向と直角でかつ同じ方向を向くようにする。
【００１８】
その後、作業者は、光ケーブル１の余長部２を第１および第２の余長受け部３０1，３０2の棒状部に引っ掛けながら光ケーブル１の余長部２を巻いていく。このとき、作業者は、巻いた光ケーブル１の余長部２の下方部分がＵ字型余長処理金物２０の底部に付くように、光ケーブル１の余長部２を巻いていく。
【００１９】
その後、作業者は、巻いた光ケーブル１の余長部２を第１の余長受け部３０1の棒状部に掛けたまま第２の余長受け部３０2の棒状部から取り外したのち、第２の余長受け部３０2を１８０度回して、第１および第２の余長受け部３０1，３０2の棒状部が図３（ｂ）に示すように互いに反対方向を向くようにする。
【００２０】
その後、作業者は、取り外した光ケーブル１の余長部２を第２の余長受け部３０2の棒状部に掛けたのち、第１および第２の本体３１1，３１2の環状部を第１乃至第４の支持用ナット３２11，３２12，３２21，３２22で上下から強く締め付けて、第１および第２の余長受け部３０1，３０2が回らないようにＵ字型余長処理金物２０に取り付ける。
【００２１】
これにより、光ケーブル１の余長部２の上方部分を第１および第２の余長受け部３０1，３０2の棒状部に掛けるとともにその下側の中央部をＵ字型余長処理金物２０の底部に置いて、光ケーブル１の余長部２を第１および第２の余長受け部３０1，３０2とＵ字型余長処理金物２０の底部とで３点支持することができる。
【００２２】
以上の説明では、Ｕ字状に曲げられた金属棒から構成されたＵ字型余長処理金物２０を用いたが、Ｕ字型余長処理金物２０の第１の余長受け部３０1と底部との間を切った余長処理金物、または、Ｕ字型余長処理金物２０の第２の余長受け部３０2と底部との間を切った余長処理金物を用いてもよい。ただし、Ｕ字型余長処理金物２０の方が強度的には有利である。
【図面の簡単な説明】
【００２３】
【図１】本発明の一実施例による光ケーブル余長処理具１０の構成を示す図である。
【図２】図１に示した第１の余長受け部３０1の構成を示す図である。
【図３】図１に示した光ケーブル余長処理具１０を用いて光ケーブル１の余長処理をした状態を示す図である。
【図４】図１に示した光ケーブル余長処理具１０を用いて光ケーブル１の余長処理をする方法について説明するための図である。
【符号の説明】
【００２４】
１  光ケーブル
２  余長部
３  電柱
４  自在バンド
１０  光ケーブル余長処理具
１１  支持金物
１２  腕金
１３  サポート金物
１５1，１５2  第１および第２のボルト
１６1，１６2  第１および第２のナット
１７1〜１７4  第１乃至第４の取付ナット
２０  Ｕ字型余長処理金物
２１  水抜き穴
３０1，３０2  第１および第２の余長受け部
３１1，３１2  第１および第２の本体
３２11，３２12，３２21，３２22，第１乃至第４の支持用ナット
【図１】
2008026376.tif 000003
【図２】
2008026376.tif 000004
【図３】
2008026376.tif 000005
【図４】
2008026376.tif 000006